(57)【要約】【課題】      側面の周壁の外方への押し広げによるケース内の商品の抜き取りを阻止する。【解決手段】  商品の出し入れ用の開口１を有する箱体２と、この箱体に適宜のヒンジ３を介し上記開口を開閉するように設けた蓋体４とでケースを形成し、この箱体と蓋体との上記ヒンジの反対側重なり合う或いは対向する周壁に抜き差し自在に、かつ上記ケースの閉鎖維持掛合状態に挿入するキー部材の挿入部７を設け、このキー部材と上記ケースとに前記挿入したキー部材のショップ側以外による抜き取り阻止用の係合関係になる係止手段Ｃを設けた盗難防止ケースに於いて、上記箱体及び蓋体の上記ヒンジと貫通部との間の平行二辺の内側に点在的な配置で、かつ上記ケースの閉鎖時点に直列状に並ぶ閂挿通部９を設け、上記キー部材の両側に前記閂挿通部に掛合状態に貫通する閂材を設ける。【選択図】    図１
2005035664.tif 000002
【特許請求の範囲】
【請求項１】
商品の出し入れ用の開口を有する箱体と、この箱体に適宜のヒンジを介し上記開口を開閉するように設けた蓋体とでケースを形成し、この箱体と蓋体との上記ヒンジの反対側重なり合う或いは対向する周壁に抜き差し自在に、かつ上記ケースの閉鎖維持掛合状態に挿入するキー部材の挿入部を設け、このキー部材と上記ケースとに前記挿入したキー部材のショップ側以外による抜き取り阻止用の適宜の係合関係になる係止手段を設けた盗難防止ケースに於いて、上記箱体及び蓋体の上記ヒンジと挿入部との間の平行二辺の内側に点在的な配置で、かつ上記ケースの閉鎖時点に直列状に並ぶ閂挿通部を設け、上記キー部材の両側に前記閂挿通部に掛合状態に貫通する閂材を設けたことを特徴とする盗難防止ケース。
【請求項２】
商品の出し入れ用の開口を有する箱体と、この箱体に適宜のヒンジを介し上記開口を開閉するように設けた蓋体とでケースを形成し、このケースのヒンジの反対側周壁の両端部に閂材の挿入部を設け、フランジの両端裏面に上記挿入部に挿入する閂材を設け、上記ケースのヒンジと挿通部との間の平行二辺の内側に、点在的な配置で、かつ上記ケースの閉鎖時に直列状に並ぶ閂挿通部を設け、上記フランジと周壁とに貫通した閂材のショップ側以外による抜き取り阻止用の適宜の係合関係になる係止手段を設けたことを特徴とする盗難防止ケース。
【請求項３】
商品の出し入れ用の開口を有する箱体と、この箱体に適宜のヒンジを介し上記開口を開閉するように設けた蓋体とでケースを形成し、この箱体と蓋体との上記ヒンジの反対側にショップ側による開放阻止と開放阻止解除とが可能な適宜の係止手段を設けた盗難防止ケースに於いて、上記箱体及び蓋体の上記ヒンジと係止手段との間の重なり合う内側周壁から外方に突出して外側周壁の開放縁面に重なる突出部を設けると共に、この突出部と前記外側周壁の開放縁面との対向面所用範囲に噛み合い状に嵌り込む連続する凹凸部を設けたことを特徴とする盗難防止ケース。
【発明の詳細な説明】
【技術分野】
【０００１】  この発明は、ケースに外圧を作用させても、ケースの開放を阻止する盗難防止ケースに関する。
【背景技術】
【０００２】  レンタルショップの棚にレンタル商品（貸し出し以外に販売することもある）の収納ケースを並べておくと、ケースに開放防止手段がないとケースから商品が抜き取られて盗難に遭う。【０００３】  そこで、陳列時に、周知のようにショップ側の開放阻止手段によりケースが開放しないようにしておくと、上述の問題が解決できる。【０００４】  上記の開放阻止手段は、ケースを構成する箱体に対し開閉自在に蓋体を設けるヒンジの反対側に設けていた（例えば特許文献１参照）。【０００５】
【特許文献１】  特願２００１−３５６７４９号
【０００６】  また、かりに、工具の差し込みや指先を引っかけて開放方向の外力を加えようとしても両開き一対の蓋体の開放を阻止する物品収納箱がある（特許文献２）。【０００７】
【特許文献２】  実公平６−４４８２９号公報
【発明の開示】
【発明が解決しようとする課題】
【０００８】  ところで、特許文献１の開放阻止手段は、ヒンジとヒンジの反対側（開放自由端側）との間の平行する二辺の一方（一辺のみ）内と外とで重なり合う周壁に設けてある衝突回避部にキー部材を差し込んで開放を阻止し、またケースのヒンジの反対側辺の周壁内側直列状に並ぶ閂掛止部にキー部材の挿入にともないキー部材と一体の閂材を貫通させて辺縁の開放を阻止する。【０００９】しかしながら、平行二辺の内一辺（存在キー部材の反対側）に開放を阻止する手だてがないため、この部分の外側周壁の開放縁に指先を引っかけ、外方に引っ張る外力を作用させると、周壁が外方に広がってすきまができるので、商品の抜き取りが可能（商品の盗難に遭う）になる。【００１０】  勿論、指先の引っかけ以外にドライバなどの先の尖った工具の差し込みが容易なため周壁を外方に広げることができる問題があった。【００１１】  また、特許文献２の構造のものは、蓋体をスライドさせて本体の一側において雄雌係止すると共に、この係止で蓋体と本体の周縁に穿設したロック穴を合致させて、これにより施錠する。【００１２】  すると、閉蓋時の一対の蓋部材の衝合縁のジグザグ状の係合部が互いに噛み合っている。【００１３】  しかしながら、両開き対の蓋体の衝合縁の係合部を噛み合わせる方式で、箱体と、この箱体にヒンジを介し開閉自在に設けた蓋体とからなり、ヒンジの反対側をショップ側の解除具によって解除できる開放阻止手段付ケースにおいて、ケースとヒンジとの間の二辺の内と外とで重なり合う周壁の外力による外方への広がりを防止する手段に上記特許文献２の構造を転用することができない。
【課題を解決するための手段】
【００１４】  上記のような課題を解決するため、この発明は商品の出し入れ用の開口を有する箱体と、この箱体に適宜のヒンジを介し上記開口を開閉するように設けた蓋体とでケースを形成し、この箱体と蓋体との上記ヒンジの反対側重なり合う或いは対向する周壁に抜き差し自在に、かつ上記ケースの閉鎖維持掛合状態に挿入するキー部材の挿入部を設け、このキー部材と上記ケースとに前記挿入したキー部材のショップ側以外による抜き取り阻止用の適宜の係合関係になる係止手段を設けた盗難防止ケースに於いて、上記箱体及び蓋体の上記ヒンジと挿入部との間の平行二辺の内側に点在的な配置で、かつ上記ケースの閉鎖時点に直列状に並ぶ閂挿通部を設け、上記キー部材の両側に前記閂挿通部に掛合状態に貫通する閂材を設けた構成を採用する。【００１５】  また、商品の出し入れ用の開口を有する箱体と、この箱体に適宜のヒンジを介し上記開口を開閉するように設けた蓋体とでケースを形成し、このケースのヒンジの反対側周壁の両端部に閂材の挿入部を設け、フランジの両端裏面に上記挿入部に挿入する閂材を設け、上記ケースのヒンジと挿通部との間の平行二辺の内側に、点在的な配置で、かつ上記ケースの閉鎖時に直列状に並ぶ閂挿通部を設け、上記フランジと周壁とに貫通した閂材のショップ側以外による抜き取り阻止用の適宜の係合関係になる係止手段を設けた構成を採用する。【００１６】  さらに、商品の出し入れ用の開口を有する箱体と、この箱体に適宜のヒンジを介し上記開口を開閉するように設けた蓋体とでケースを形成し、この箱体と蓋体との上記ヒンジの反対側にショップ側による開放阻止と開放阻止解除とが可能な適宜の係止手段を設けた盗難防止ケースに於いて、上記箱体及び蓋体の上記ヒンジと係止手段との間の重なり合う内側周壁から外方に突出して外側周壁の開放縁面に重なる突出部を設けると共に、この突出部と前記外側周壁の開放縁面との対向面所用範囲に噛み合い状に嵌り込む連続する凹凸部を設けた構成を採用する。
【発明の効果】
【００１７】  以上のように、この発明の盗難防止ケースによれば、キー部材と一体の閂材やフランジと一体の閂材を閂貫通部に貫通させることで、ケースのヒンジと係止手段との間の平行二辺の周壁の外方広げによる外圧での開放を阻止して、収納商品の抜き取りをなくすることができる。【００１８】  また、盗難防止ケースのヒンジと係止手段との間の平行二辺の周壁の外方に広げようとする指先の引っかかりや工具の突き刺しを噛み合い状に嵌り込んでいる連続する凹凸部により阻止し、収納商品の抜き取りをなくすることができる。
【発明を実施するための最良の形態】
【００１９】  この発明の実施形態を添付図面に基づいて説明する。【００２０】  この発明の第一の実施形態では、図１から図６に示すように、商品ａの出し入れ用の開口１を有する箱体２と、この箱体２に適宜のヒンジ３を介し開口１を開閉する蓋体４とでケースＡを形成する。【００２１】  上記箱体２及び蓋体４は、主壁５と、この主壁５の周縁から連なって主壁５の裏面方向に突出する周壁６とで構成され、図示の場合、蓋体４の周壁６の外側に箱体２の周壁６を嵌装したが、嵌装を逆にしてもよい。【００２２】  上記のヒンジ３は、図示の場合下辺側周壁６にハーフカットのヒンジ３を介し箱体２の主壁５を連成したが、限定されず、ピンヒンジなどであってもよい。【００２３】  また、ヒンジ３の反対側（対向側）の重なり合う或いは対向する周壁６、６には、抜き差し自在に、かつケースＡの閉鎖維持の掛合状態にキー部材８の貫通用の挿入部７が設けてある。【００２４】  上記の挿入部７は、図示の場合重なり合う両周壁６、６に長孔を設けて形成したが、片方の周壁６に挿入部としての長孔を、他方の周壁６にキー部材８の衝突回避挿入部として周壁の開放縁から内方に向く欠除部と、この欠除部の両端から相反する方向にキー部材の側縁が掛合する切欠きを設けたが、両周壁６、６の対向縁に上記の切欠きを有する欠除部を設ける（いずれも図示省略）などがある。【００２５】  要するに、挿入するキー部材８に対し掛合関係になって、ケースＡの閉鎖維持ができるものであればよい。【００２６】  さらに、ケースＡのヒンジ３と挿入部７との間の平行する二辺の内側には、点在的な配置で、ケースＡの閉鎖時点に直列状に並ぶ（辺縁に沿って）閂の貫通部９が設けてあり、キー部材８の両側には、キー部材８の挿入にともない直列状態に並ぶ全ての閂貫通部９に掛合状態に貫通する閂材１０が設けてある。【００２７】  上記の閂貫通部９は、図示の場合、箱体２及び蓋体４の各主壁５の内面辺縁部に溝形のブロックを点在的に並べたが、溝形のブロックにかえて例えば筒状のブロックやＬ形のブロックなどを並べることもあり、そして主壁５や内側周壁６に設けてもよい。【００２８】  また、図３、４及び７に示すように、キー部材８とケースＡとに挿入したキー部材８のショップ側以外による抜き取り阻止用の係合関係になる係止手段Ｃが設けてあり、顧客によるケースＡの開放を防止するようになっている。【００２９】  上記の係止手段Ｃとしては、図示の場合、キー部材８の両側縁に挿入方向に対し反対方向（引き抜き方向）に、かつ外側方に突出する爪片１１を設け、ケースＡ内（主壁５から突出させて）キー部材８の挿入途中に接触によって爪片１１を押し戻し、通過し終わると押し戻しの解除された爪片１１が引っかかってキー部材８の引き抜きを阻止する係止片１２を設けて構成したが、その他の係止手段であってもよい。【００３０】  例えば、キー部材８の挿入後にショップ側のプッシュによって係合関係になる錠機構（復元力に抗して押し込んだ爪がキー側と係合関係になってキー部材の抜き取りが阻止され、ショップ側の解錠操作によって爪がキー部材から外れる構成など）を採用することもできる。【００３１】  要するに、挿入したキー部材８がショップ側以外によって���き取られない係合関係（図示の自動的に限定されず、ショップ側の操作によって係合関係にする）になる。【００３２】  上記係止手段Ｃの係合関係の解除は、図７、８に示すように、ショップ側の解除具１３を使用する。【００３３】  解除方式は、挿通部７の両端の切欠き１４に解除具１３から突出する突片１５を差し込む。【００３４】  すると、突片１５が爪片１１の突出方向の側縁に当接して爪片１１を押し戻して、図７に示すように爪片１１と係止片１２との係合関係を解除する。【００３５】  このとき、図７、８に示すように解除具１３から突出する突出片１６の上向きの爪１７の先がキー部材８の凹入部１８に嵌り込んで係合する。【００３６】  この状況下に解除具１３を引き抜くとキー部材８も共に引き抜かれ、閂材１０も挿通部９から抜き取られるようになっている。【００３７】  なお、係止手段Ｃ及び解除具１３は、図示に限定されず、公知の他の方式を採用することもある。【００３８】  すなわち、係止手段Ｃの構成に応じた解除方式を用いる。【００３９】  上記のように構成すると、ケースＡのヒンジ３の反対側開閉自由端側の周壁６に指先などを引っかけて無理矢理開放方向に外力を作用させても、キー部材８により阻止される。【００４０】  また、ケースＡのヒンジ３と開放阻止キー部材８との間の平行二辺の周壁６に指先や工具を引っかけて外方（開放方向）に外力を作用させても、閂貫通部９と貫通閂部材１０とによって開放方向の広がりを阻止する。【００４１】  このため、ケースＡ内の商品ａ（図示のディスクに限定されず、他の商品、ビデオテープなども）の抜き取りを阻止する。【００４２】  図中ＢはケースＡの店外持ち出しを防止する周知のタグ、２１はキー部材８の末端フランジ２２から突出する片で、この片２１がヒンジ３の反対側周壁６の貫孔２３に貫通してキーの役目をする。２４は突出片１６の貫通部である。【００４３】  なお、閂の貫通部９は、図示の場合周壁６の全長に設けたが、限定されず所要の範囲に設けてもよい。【００４４】  例えば、図９及び図１０に示すように、挿入部７側からヒンジ３側に向く所要範囲の途中迄であってもよい。【００４５】  また、挿入部７も、図１、２、４、７に示すように、周壁６、６の一辺の略全長に限定されず、図１１、１２に示すように、周壁６、６の一辺の片端から所要範囲の途中迄設けてもよい。【００４６】  その際、キー部材８もフランジ２２の片端からもう片端方向の途中迄に設けるので、例えば図１８、１９に示すような、周壁６、６の挿入部７の存在しない部分に点在的な穴や透孔の掛止部７１を設けて、この掛止部７１にフランジ２２の裏面から突出する突出部７２を嵌入させて、挿入部７に対しキー部材８が、掛止部７１に対し突出部７２がそれぞれ掛合関係になってケースＡの安定した閉鎖維持をはかる。【００４７】  そして、キー部材８側に係止手段Ｃを設けないで、フランジ２２の裏面から突出する突出部７２側に係止手段Ｃを設けることができる。【００４８】  勿論、フランジ２２のキー部材８のない側の端部に閂材１０を設けてあるので、周壁６の端部には、閂材１０のみの貫通用の挿通部７’が設けてある。【００４９】  この係止手段Ｃとしては、図１２に示す場合、突出部���２の先端に爪片１１を設けて、この爪片１１が掛止部７１に対し通過した直後に掛止部７１を形成する透孔の縁に係合するようになっているが、掛止部７１が穴の場合、穴の周壁の凹入部に爪片１１が嵌り込んで係合するように（図示省略）してもよい。【００５０】勿論、図１３、１４、１５、１６に示すように、ケースＡの周壁６に挿入部７を、フランジ２２にキー部材８を設けないで、周壁６、６に掛止部７１を、フランジ２２に係止手段Ｃとしての爪片１１を有する突出部７２を設けて、ケースＡの閉鎖維持をはかる。【００５１】  そして、フランジ２２の両端部裏面に設けてある閂材１０を両周壁６の挿入部７’から挿入して直列状に並ぶ閂貫通部９に貫通させる。【００５２】  上記係止手段Ｃ（突出部７２に設けてある）の係合関係の解除としては、図１７、１８に示すように、ケースＡの主壁５の爪片１１と合致する部分に透孔７５を設けて、ショップ側の解除具１３’の突起７６を透孔７５に嵌入して（押し込みながら）、突起７６により爪片１１を押し戻して爪片１１と掛止部７１との係合関係（引っかかりの状態からの）を解除する。【００５３】  その後に、ケースＡからフランジ２２を取り外しながら、掛止部７１から突出部７２を引き抜く。【００５４】  取り外したフランジ２２は、ショップ側に回収する。【００５５】  勿論、フランジ２２の裏面に前述と同様のタグＢを設けておく。【００５６】  そして、フランジ２２の裏面と周壁６とに図１８、１９に示すような掛止部７１と突出部７２とを設ける際、図１９、２０に示すように、掛止部７１をケースＡの主壁５に接近させて設け、掛止部７１の孔壁と貫通した突出部７２とに或る程度の間隙があってもフランジ２２と共に突出部７２とが上記間隙の範囲移動（すべりによる）しようとしても、周壁６の透孔穴や掛合部７７と、この掛合部７７にがたつきがないように嵌入する突部７８とによって移動を止めて、掛止部７１の縁に対する爪片１１の安定した係合関係を保つ。【００５７】  なお、フランジ２２は、閂材１０の並列維持をはかる連結部材としての役目をするもので、図示の場合体裁上板状にしたが、限定されず、軸材、角材などであってもよい。【００５８】  また、図１９に示すように、挿入部７’や掛止部７１を有する両周壁６、６の開放縁に波状の連続する凹凸部７９を設けて、この凹凸部７９を噛み合い状に突き合わせる。【００５９】  なお、図２０に示すように、閂貫通部９側に欠除部などによる指先引っかけ部７９を設けておくと、ケースＡの開放操作が容易になる。【００６０】  なお、図３２及び図３３に示すように、閂貫通部９をＬ形片により形成して、このＬ形片の突出方向端をケースＡの主壁５の内面（ケースＡの閉鎖状況下において）に当接するようにしておくと、箱体２や蓋体４の内方への変形（主壁５の内方変形）が阻止させる。【００６１】  この発明の第二の実施形態では、図２２から図２４に示すように、商品ａの出し入れ用の開口１を有する箱体２と、この箱体２に適宜のヒンジ３を介し開口１を開閉する蓋体４とでケースＡ’を形成する。【００６２】  上記のヒンジ３を有するケースＡ’は、第一の実施形態と同様につき構成の説明を省略する。【００６３】  また、上記ケースＡ’��ヒンジ３の反対側は係止手段Ｅによって、ショップ側により開放阻止及び開放阻止解除とができるようになっている。【００６４】  上記の係止手段Ｅは、図示の場合第一の実施形態と同様の構成、すなわち、重なり合う或いは対向する周壁６、６の挿入部７にキー部材８を挿入して、キー部材８を挿入部７との係合関係によってケースＡ’の開放を阻止するようになっているが、その他の例えば、特許第３３９４７２８号のように箱体と蓋体とに並列係合溝を設けて、この並列係合溝に係合状態にスライダを差し込む方式などを採用してもよい。【００６５】  上記のキー部材８及び挿入部７は、第一の実施形態と同様につき説明を省略する。【００６６】  そして、キー部材８とケースＡ’とには、キー部材８の挿入終了にともない係合関係になって顧客によるキー部材８の引き抜きを防止する係止手段Ｃが設けてある。【００６７】  上記の係止手段Ｃとして、図示の場合キー部材８に、キー部材８の挿入にともない押し戻され、挿入終了にともない押し戻しの解除され突出力の付与爪片１１が周壁６の裏面に引っかかって、キー部材８の抜き取りを防止する。【００６８】  そして、ショップ側によるキー部材８の抜き取りは、図２５らか図２８に示すように解除具３１の突片３２をフランジ２２の透孔６１から貫通部７の縁の切欠き３３に押し込んで、突片３２によって爪片１１を押し戻す。【００６９】  このとき、解除具３１の突出片３５が同じくフランジ２２の透孔６２から貫通部７の縁の切欠き３４に押し込まれ、押し込み終了にともない押し戻されてキー部材８の凹入部３６に片３７が嵌り込んで係合関係になるので、この時点で、解除具３１と共にキー部材８を抜き取ることができるようになっている。【００７０】  上記の解除具３１を用いた解除方式は、図示に限定されず、第一の実施形態の方式であってもよい。【００７１】  勿論、上述の特許第３３９４７２８号の公報の係止手段であれば、同公報の解除方式を採用する。【００７２】  要するに、ケースＡ’のヒンジ３の反対側をショップ側によって開放を阻止し、ショップ側の操作によって開放阻止を解除できるものであればよい。【００７３】  図中３８は周壁６、６の合致した貫孔３９に貫通する突出体、Ｂはタグである。【００７４】  上記のようなケースＡ’に於いて、係止手段Ｅとヒンジ３との間の平行する二辺の間の重なり合う内側周壁６から外方に突出して外側周壁６の開放縁面に重なる突出部４１を設ける。【００７５】  上記の突出部４１は、主壁５と内側周壁６との連成境、すなわち、主壁５の周縁延長に設けたが、外側周壁６の突出長さが短い場合、内側周壁６の外周面に突条を突出することもある。【００７６】  そして、突出部４１と外側周壁６の開放縁面との対向面には、ケースＡ’の閉鎖にともない噛み合い状に嵌り込む連続する凹凸部４２が設けてある。【００７７】  すると、外側周壁６の開放縁側に先の尖った、例えば図２８に示すようにドライバなどの工具Ｘの先を突き刺そうと、或いは指先を引っかけて外方に広げる外力を作用させようとしてもその作用を阻止する。【００７８】  勿論、図３０に示すように、キー部材８の挿入側両周壁６、６に指先を押し付け、又は図３１に示すようにヒンジ３とキー部材��の挿入側との間の平行する周壁６に指先を押し付け、この指先の押付下で互いに相反する方向、すなわち、開放方向の力を作用させても、指先の掌面に凹凸部４２が喰い込んで指先に痛みを与えて開放をちゅうちょさせて、盗難防止効果に役立つ。【００７９】  このため、ケースＡ’に収納してある商品の抜き取りを阻止する。【００８０】  上記の凹凸部４２は、ヒンジ３と係止手段Ｅとの間の平行する二辺以外に、係止手段Ｅ側のキー部材８のフランジ２２の存在しない部分にも設けることもできる。【００８１】  勿論、係止手段Ｅ側の辺の全長に設けることもある。【００８２】  なお、突出部４１の突出度合は、突出部４１の突出面と外側周壁６の表面（外側面）とが面一になって段差がないようにしてある。
【図面の簡単な説明】
【００８３】
【図１】  この発明の第一の実施形態を示す展開平面図
【図２】  同上の要部を示す斜視図
【図３】  キー部材の斜視図
【図４】  キー部材を挿入した状態の縦断正面図
【図５】  同上の縦断側面図
【図６】  同横断平面図
【図７】  解除状態を示す縦断正面図
【図８】  同上の縦断側面図
【図９】  閂貫通部の他の配置を示す縦断正面図
【図１０】  同縦断拡大正面図
【図１１】  係止手段の他の実施例を示す斜視図
【図１２】  同上の係合関係を示す一部切欠正面図
【図１３】  係止手段の他の例を示す斜視図
【図１４】  同上に使用する閂材の斜視図
【図１５】  掛止部の配置を示す平面図
【図１６】  係合関係を示す縦断正面図
【図１７】  同縦断側面図
【図１８】  係合関係の解除を示す縦断側面図
【図１９】  掛止部の他の配置を示す平面図
【図２０】  同上の縦断側面図
【図２１】  ケースの斜視図
【図２２】  第二の実施形態を示す斜視図
【図２３】  同斜視図
【図２４】  同縦断側面図
【図２５】  同一部切欠正面図
【図２６】  同横断平面図
【図２７】  解除具を使用した一部切欠側面図
【図２８】  同一部切欠側面図
【図２９】  工具による広がり防止阻止の斜視図
【図３０】  ケースに外力を作用させた斜視図
【図３１】  同斜視図
【図３２】  ケースの斜視図
【図３３】  同上の横断平面図
【符号の説明】
【００８４】Ａ、Ａ’      ケース
ａ            商品
Ｂ            タグ
Ｃ            係止手段
１            開口
２            箱体
３            ヒンジ
４            蓋体
５            主壁
６            周壁
７、７’      挿入部
８            キー部材
９            閂貫通部
１０          閂材
１１          爪片
１２          係止片
１３、１３’  解除具
１４          切欠き
１５          突片
Ｅ            係止手段
３１          解除具
３２          突片
３３、３４    切欠き
３５          突出片
３６          凹入部
３７          片
４１          突出部
４２          凹凸部
７１          掛止部
７２          突出部
７５          透孔
７６          突起
７７          掛合部
７８          突部
【図１】
2005035664.tif 000003
【図２】
2005035664.tif 000004
【図３】
2005035664.tif 000005
【図４】
2005035664.tif 000006
【図５】
2005035664.tif 000007
【図６】
2005035664.tif 000008
【図７】
2005035664.tif 000009
【図８】
2005035664.tif 000010
【図９】
2005035664.tif 000011
【図１０】
2005035664.tif 000012
【図１１】
2005035664.tif 000013
【図１２】
2005035664.tif 000014
【図１３】
2005035664.tif 000015
【図１４】
2005035664.tif 000016
【図１５】
2005035664.tif 000017
【図１６】
2005035664.tif 000018
【図１７】
2005035664.tif 000019
【図１８】
2005035664.tif 000020
【図１９】
2005035664.tif 000021
【図２０】
2005035664.tif 000022
【図２１】
2005035664.tif 000023
【図２２】
2005035664.tif 000024
【図２３】
2005035664.tif 000025
【図２４】
2005035664.tif 000026
【図２５】
2005035664.tif 000027
【図２６】
2005035664.tif 000028
【図２７】
2005035664.tif 000029
【図２８】
2005035664.tif 000030
【図２９】
2005035664.tif 000031
【図３０】
2005035664.tif 000032
【図３１】
2005035664.tif 000033
【図３２】
2005035664.tif 000034
【図３３】
2005035664.tif 000035